【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
第１発光手段と、
第２発光手段と、
前記第１発光手段からの光を拡散する第１拡散手段と、
前記第２発光手段からの光を拡散する第２拡散手段と、
第１情報を表す第１発光表示部と、
前記第１情報よりも重要度が低い第２情報を表す第２発光表示部と、
前記第１発光手段からの光を前記第１拡散手段へ導光する第１導光手段と、
前記第２発光手段からの光を前記第２拡散手段へ導光する第２導光手段と、
を備え、
前記第１発光手段と前記第２発光手段とは、単位時間あたりに発光する期間の長さが異なり、
前記第１拡散手段は、規則的なパターンによって光を拡散可能であり、
前記第２拡散手段は、不規則なパターンによって光を拡散可能であり、
前記第１発光表示部は、前記第１拡散手段により拡散された光によって発光し、
前記第２発光表示部は、前記第２拡散手段により拡散された光によって発光し、
前記第１導光手段及び前記第２導光手段は、規則的なパターンによって光を導光可能である、
ことを特徴とする遊技機。
【手続補正２】
【補正対象書類名】明細書
【補正対象項目名】０００７
【補正方法】変更
【補正の内容】
【０００７】
上記課題を解決するために、手段Ａの遊技機は、
遊技が可能な遊技機であって、
第１発光手段と、
第２発光手段と、
前記第１発光手段からの光を拡散する第１拡散手段と、
前記第２発光手段からの光を拡散する第２拡散手段と、
第１情報を表す第１発光表示部と、
前記第１情報よりも重要度が低い第２情報を表す第２発光表示部と、
前記第１発光手段からの光を前記第１拡散手段へ導光する第１導光手段と、
前記第２発光手段からの光を前記第２拡散手段へ導光する第２導光手段と、
を備え、
前記第１発光手段と前記第２発光手段とは、単位時間あたりに発光する期間の長さが異なり、
前記第１拡散手段は、規則的なパターンによって光を拡散可能であり、
前記第２拡散手段は、不規則なパターンによって光を拡散可能であり、
前記第１発光表示部は、前記第１拡散手段により拡散された光によって発光し、
前記第２発光表示部は、前記第２拡散手段により拡散された光によって発光し、
前記第１導光手段及び前記第２導光手段は、規則的なパターンによって光を導光可能である、
ことを特徴としている。
さらに、上記課題を解決するために、手段１の遊技機は、
遊技が可能な遊技機（例えば、パチンコ遊技機１）であって、
第１発光手段（例えば、アングル型ＬＥＤ８１１、トップ型ＬＥＤ８１２，８１３など）と、
第２発光手段（例えば、アングル型ＬＥＤ７４５，７４６）と、
前記第１発光手段からの光を拡散する第１拡散手段（例えば、光拡散部８０７Ｄを有する第１アウターレンズ８０７、光拡散部８０８Ｂを有する第２アウターレンズ８０８，光拡散部８０９Ｂを有する第３アウターレンズ８０９など）と、
前記第２発光手段からの光を拡散する第２拡散手段（例えば、光拡散部７４４Ｄを有するアウターレンズ７４４）と、
を備え、
前記第１発光手段と前記第２発光手段とは、単位時間あたりに発光する期間の長さが異なり（例えば、パチンコ遊技機１に電力が供給されている期間、あるいは、パチンコ遊技機１にて遊技が行われている期間（可変表示期間、大当り期間）のうち所定の単位時間（例えば、３時間など）あたりにおける第１発光表示部８５１〜第３発光表示部８５３の発光表示期間は、第４発光表示部８５４の発光表示期間よりも長くなっている。図２６参照）、
前記第１拡散手段は、規則的なパターンによって光を拡散可能であり、
前記第２拡散手段は、不規則なパターンによって光を拡散可能である（例えば、光拡散部８０７Ｄは、ダイヤモンド形状の複数の凸部が規則的なパターン（例えば、左右方向に所定間隔おきに形成された複数の凸部からなる凹凸群が上下方向に複数列形成されるパターンなど）で配置されることにより形成されている。図２７（Ａ）参照。一方、光拡散部７４４Ｄは、大きさや形状が異なる複数の凸部が不規則なパターン（ランダムパターン）で配置されることにより形成されている。図２７（Ｂ）参照）
ことを特徴としている。
この特徴によれば、好適に発光させることができる。
【手続補正３】
【補正対象書類名】明細書
【補正対象項目名】０００８
【補正方法】変更
【補正の内容】
【０００８】
手段２の遊技機は、手段１に記載の遊技機であって、
前記第１発光手段（例えば、アングル型ＬＥＤ８１１）は単色（例えば、白色）で発光する演出を実行可能であり、
前記第２発光手段（例えば、アングル型ＬＥＤ７４５，７４６）は複数色（例えば、７色）で発光する演出を実行可能である（図２６参照）
ことを特徴としている。
この特徴によれば、好適に発光させることができる。
【手続補正４】
【補正対象書類名】明細書
【補正対象項目名】０００９
【補正方法】変更
【補正の内容】
【０００９】
手段３の遊技機は、手段１または２に記載の遊技機であって、
文字を象った発光表示部を備え、
前記発光表示部は、第１発光表示部（例えば、第４発光表示部８５４）と該第１発光表示部よりも大きい第２発光表示部（例えば、第１発光表示部８５１〜第３発光表示部８５３）を含み、
前記第１発光手段は、前記第２発光表示部を発光可能である
ことを特徴としている。
この特徴によれば、好適に発光させることができる。
【手続補正５】
【補正対象書類名】明細書
【補正対象項目名】００１０
【補正方法】変更
【補正の内容】
【００１０】
手段４の遊技機は、手段１〜３のいずれかに記載の遊技機であって、
前記第１発光手段からの光を前記第１拡散手段へ導光する第１導光手段（例えば、第１インナーレンズ８０３）と、
前記第２発光手段からの光を前記第２拡散手段へ導光する第２導光手段段（例えば、インナーレンズ７４３）と、
を備え、
前記第１導光手段と前記第２導光手段とは、共に規則的なパターン（例えば、反射部８０３Ｄ、７４３Ｄ）によって光を拡散可能である
ことを特徴としている。
この特徴によれば、演出効果を向上させることができる。
【手続補正６】
【補正対象書類名】明細書
【補正対象項目名】００１１
【補正方法】変更
【補正の内容】
【００１１】
手段５の遊技機は、手段１〜４のいずれかに記載の遊技機であって、
前記第１発光手段（例えば、アングル型ＬＥＤ８１１）は移動可能であり、
前記第２発光手段（例えば、アングル型ＬＥＤ７４５，７４６）は移動不能である
ことを特徴としている。
この特徴によれば、演出効果を向上させることができる。
【手続補正７】
【補正対象書類名】明細書
【補正対象項目名】００１２
【補正方法】変更
【補正の内容】
【００１２】
手段６の遊技機は、手段１〜５のいずれかに記載の遊技機であって、
前記第１発光手段と前記第１拡散手段との距離は、前記第２発光手段と前記第２拡散手段との距離よりも長い（例えば、第１発光表示部８５１を構成するアングル型ＬＥＤ８１１から第１アウターレンズ８０７の背面に形成された光拡散部８０７Ｄまでの離間寸法Ｌ１１（図２１参照）は、第４発光表示部８５４を構成するアングル型ＬＥＤ７４５からアウターレンズ７４４の背面に形成された光拡散部７４４Ｄまでの離間寸法Ｌ１２（図２１、図２５参照）よりも長寸とされている（Ｌ１１＞Ｌ１２）。）
ことを特徴としている。
この特徴によれば、点光りを防止することができる。